(57)【要約】  【課題】発信端末識別信号の未受信による動作停止を招くことなく、ファクシミリの誤送信を防止することができる通信端末装置を提供する。  【解決手段】ファクスの送信時、送信先端末装置から応答信号を受信したか否かを判定し、応答信号を受信した場合、応答信号に含まれるＩＤ情報を記憶する（ステップ105、106）。次に、カナＩＤ、送信先のファクス番号が取得できたか否かを判定し、カナＩＤ、ファクス番号を取得できた場合、取得したＩＤを表示するとともに、ファクスを送信するか否かの確認ボタンを表示する（ステップ107〜110）。また、ＩＤ情報が取得できなかった場合には、ＩＤが取得できなかった旨、及びファクスを送信するか否かの確認ボタンを表示する（ステップ111）ので、送信先を確認した上で画像データを送信できるとともに、ＩＤを取得できなかった場合でも、動作を停止することなく通信を継続することができる。  【選択図】図４
2007088981.tif 000002
【特許請求の範囲】
【請求項１】
ファクス送信を行う制御手段を備えた通信端末装置であって、
ファクス送信を行う場合、上記制御手段が、発信先の通信端末装置から発信端末識別信号を受信したか否かを判別し、発信端末識別信号を受信した場合、その発信端末識別信号の内容及び通信継続確認画面を表示し、発信端末識別信号を受信しなかった場合、発信端末識別信号を受信しなかった旨及び通信継続確認画面を表示するとともに、通信を継続するか否かの操作入力に基づいて画像データの送信を行うか否かを決定することを特徴とする通信端末装置。
【請求項２】
請求項１に記載された通信端末装置において、
上記制御手段が、発信端末識別信号としてカナＩＤを表示することを特徴とする通信端末装置。
【請求項３】
請求項１に記載された通信端末装置において、
上記制御手段が、発信端末識別信号として発信者番号を表示することを特徴とする通信端末装置。
【発明の詳細な説明】
【技術分野】
【０００１】
本発明は、通信端末装置に関し、特に誤送信を防止することができる通信端末装置に関する。
【背景技術】
【０００２】
コピー機能、ファクシミリ機能、プリント機能、スキャナ機能等を有する最近のデジタル複合機やファクシミリ装置等の通信端末装置は、宛先を指定するためのテンキー、スタートキー等の各種キーを備えるとともに、指定した宛先を表示したり、装置の動作状態や種々の機能の操作画面を表示するためのＬＣＤ表示器等の表示装置を備え、ユーザは、テンキーにより宛先を入力し、それを表示装置で確認してファクス送信を行っている。
このとき、間違った電話番号を入力した場合、その電話番号にファクシミリ装置が接続されていると、間違った宛先に画像データが送信されてしまうという問題が発生する。
【０００３】
また、上記のような通信端末装置では、ワンタッチキーや短縮キーに対応させて送信宛先の電話番号を登録し、登録したワンタッチキーや短縮キーを指示するだけで指示された宛先にファクス送信できるようになっているが、ワンタッチーキーや短縮キーに間違って電話番号を登録した場合にも、その電話番号にファクシミリ装置が接続されていると、間違った宛先に画像データが送信されてしまうという問題が発生する。
さらに、発信側端末、交換機、または付属機器の不具合などにより、誤送信となる場合もあり、個人情報保護の意識が高まっている昨今、大きな問題となっている。
【０００４】
一方、最近の通信端末装置では、発呼動作を読み取り開始後に行い、画像メモリに画像データを蓄積しながら、それと平行して通信を行うようにすることで、送信時の操作性を大幅に改善しており、ユーザが宛先を確認することができるのは、ファクシミリ伝送手順を開始し、相手端末より識別情報を受信して、その識別情報が表示される時点である。
このように、従来は、発呼動作が読み取り動作と並列的に実行されるため、ユーザが宛先を確認して誤った相手先だと認識できた時点では、既に画像データの送信動作が開始されており、画像データの誤送信を招くおそれがあった。
【０００５】
このため、発呼の通信手順に際して送信先の通信端末装置から受信した端末識別情報を表示して送信先の通信端末装置の確認を促すとともに、送信許可が指示されるまで画像データの送信を行わないようにすることにより、送信先の通信端末装置を確認した上で送信処理をできるようにし、操作性及び信頼性を向上させることが提案されている（例えば、特許文献１参照）。
【特許文献１】特開平５−１８３７１６号公報
【発明の開示】
【発明が解決しようとする課題】
【０００６】
上記のように、従来、発呼の通信手順に際して送信先の通信端末装置から受信した端末識別情報を表示し、送信先の通信端末装置を確認した上で送信処理を行うことが提案されており、例えば、送信先端末装置からの被呼端末識別信号（ＣＳＩ）にのせられた、ファクシミリのヘッダ情報としての送信先端末装置のファクシミリ番号を表示したり、また、各社独自の非標準コード情報である非標準機能識別信号（ＮＳＦ）に相手先名称等の文字情報がのせられている場合には、その文字情報を表示することにより、送信先の通信端末装置を確認して画像データを送信することができる。
【０００７】
しかしながら、家庭用のファクシミリ等では、ヘッダ情報の設定等を行わずに使用している場合があり、このような場合には、端末識別情報が受信できないので、送信処理を続行できないという問題が生じる。
また、ダイレクトメールの業者等においても通常ヘッダ情報等を設定しておらず、このような相手方に送信した場合にも、端末識別情報が受信できず、ファクシミリの送信動作が停止してしまうという問題が生じる。
【０００８】
本発明は、上記の問題に鑑みてなされたもので、発信端末識別信号の未受信による動作停止を招くことなく、ファクシミリの誤送信を防止することができる通信端末装置を提供することを目的とする。
【課題を解決するための手段】
【０００９】
上述の目的を達成するため、請求項１に係る発明の通信端末装置は、ファクス送信を行う制御手段を備えた通信端末装置であって、ファクス送信を行う場合、上記制御手段が、発信先の通信端末装置から発信端末識別信号を受信したか否かを判別し、発信端末識別信号を受信した場合、その発信端末識別信号の内容及び通信継続確認画面を表示し、発信端末識別信号を受信しなかった場合、発信端末識別信号を受信しなかった旨及び通信継続確認画面を表示するとともに、通信を継続するか否かの操作入力に基づいて画像データの送信を行うか否かを決定することを特徴とする。
【００１０】
また、請求項２に係る発明の通信端末装置は、請求項１に記載された通信端末装置において、上記制御手段が、発信端末識別信号としてカナＩＤを表示することを特徴とし、
請求項３に係る発明の通信端末装置は、請求項１に記載された通信端末装置において、上記制御手段が、発信端末識別信号として発信者番号を表示することを特徴とする。
【発明の効果】
【００１１】
本発明の請求項１〜請求項３に係る発明の通信端末装置によれば、ファクス送信を行う場合、発信先の通信端末装置からカナＩＤや発信者番号等の発信端末識別信号を受信すると、その発信端末識別信号の内容が表示され、発信端末識別信号が受信できなかった場合、発信端末識別信号を受信しなかった旨が表示されるとともに、通信継続確認画面が表示されるので、送信先の通信端末装置を確認した上で画像データを送信でき、操作性及び信頼性を向上させることができるとともに、発信端末識別信号を受信できなかった場合でも、動作を停止することなく通信を継続することが可能となる。
【実施例】
【００１２】
以下、本発明の通信端末装置をデジタル複合機に適用した実施例について、図面を用いて説明する。図１はデジタル複合機を備えたシステムのネットワーク構成例を示す図であり、図２はデジタル複合機のハードウェア構成を示すブロック図である。
【００１３】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことが可能である。
【００１４】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０及びＬＡＮインターフェース（Ｉ／Ｆ）２１から構成され、各部がバス２２を介して接続されている。
【００１５】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶するとともに、相手側機から受信したＮＳＦ信号またはＣＳＩ信号から取得した相手側機のＩＤを記憶するＩＤ情報記憶部２３を備えている。
【００１６】
表示・操作部１４は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。また、操作キーとして、テンキー３２、スタートキー３３、リセットキー３４、ストップキー３５、複数のワンタッチダイヤルキー３６、十字キー３７、リターンキー３８、セットキー３９、ＦＡＸ切替キー４０、コピー切替キー４１、スキャナ切替キー４２等の各種キーが設けられている。なお、ＬＣＤ表示部３１によりこれらの操作キーの一部又は全部を代用することも可能である。
【００１７】
また、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
画像メモリ１６は、ＤＲＡＭ等を用いて構成され、送信すべきイメージデータまたは受信したイメージデータあるいは読取部１５で読み取ったイメージデータを記憶するものである。
【００１８】
記録部１７は電子写真方式等のプリンタ装置を備え、受信したデータ、コピー原稿データあるいは外部のパソコンから送信されたプリントデータをプリントアウトし、コーデック１８は所定のプロトコルに対応して符号化・復号するものであり、読み取った原稿の画像データを送信するためにＭＨ、ＭＲ、ＭＭＲ、またはＪＢＩＧ方式により符号化し、外部から受信した画像データを復号するとともに、電子メールに添付可能なファイルとして一般的に利用される画像フォーマットであるＴＩＦＦ方式等にも対応して符号化、復号する。
【００１９】
また、モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２０】
さらに、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２１】
次に、このデジタル複合機によりファクス送信を行う場合の作用について図４のフローチャート及び図５の交信シーケンス図により説明する。
デジタル複合機１のＣＰＵ１１は、表示・操作部１４のＦＡＸ切替キー４０が押下された場合、図４のフローチャートに示す送信プログラムを開始し、まず、ＣＰＵ１１は送信先のファクス番号が入力されたか否かを判定し（ステップ１０１）、ユーザが表示・操作部１４のＬＣＤ表示部３１に表示された宛先入力画面にテンキー３２によりファクス番号を入力すると、入力されたファクス番号をＲＡＭ１３に記憶する（ステップ１０２）。
なお、送信先のファクス番号の入力は、テンキーにより直接入力する代わりに登録されたワンタッチキーあるいは短縮キーにより入力することも可能である。
【００２２】
次に、ＣＰＵ１１はスタートキー３３が押下されたか否かを判定し（ステップ１０３）、スタートキー３３が押下されたと判定した場合、ＲＡＭ１３に記憶したファクス番号をモデム１９、ＮＣＵ２０を制御してＰＳＴＮ５に送出させ、通信が確立すると、送信先端末装置に呼出し信号ＣＮＧを送信する（ステップ１０４）。
図５の交信シーケンス図に示すように、送信先端末装置は呼出し信号ＣＮＧを受信すると、回線が接続されたことを表示する被呼局識別信号（ＣＥＤ）、非標準機能識別信号（ＮＳＦ）、被呼端末識別信号（ＣＳＩ）及び被呼装置の標準能力を表すデジタル識別信号（ＤＩＳ）を送信する。
【００２３】
ＣＮＧ信号を送信した後、ＣＰＵ１１は、送信先端末装置から応答信号を受信したか否かを判定し（ステップ１０５）、応答信号を受信した場合、応答信号に含まれるＩＤ情報をＲＡＭ１３のＩＤ情報記憶部２３に記憶する（ステップ１０６）。
すなわち、ＣＳＩ信号を受信した場合、被呼端末識別コードを解析して送信先端末装置のファクス番号をＩＤ情報記憶部２３に記憶し、非標準モードのときにＮＳＦ信号を受信した場合、ＮＳＦ信号を解析して送信先端末装置のカナＩＤをＩＤ情報記憶部２３に記憶する。
【００２４】
次に、ＣＰＵ１１は、ＩＤ情報記憶部２３の記憶内容からカナＩＤを取得できたか否かを判定し（ステップ１０７）、カナＩＤを取得できたと判定した場合、ＬＣＤ表示部３１に取得したカナＩＤを表示するとともに、ファクスを送信するか否かの確認ボタンを表示する（ステップ１０８）。
図６はＬＣＤ表示部３１の表示画面の一例であり、図に示すように、取得したカナＩＤが表示されるとともに、ファクスを送信するか否かを決定する「はい」ボタン６１と「いいえ」ボタン６２が表示される。
【００２５】
一方、カナＩＤを取得できなかったと判定した場合、ＣＰＵ１１は、ＩＤ情報記憶部２３の記憶内容から送信先端末装置のファクス番号を取得できたか否かを判定し（ステップ１０９）、ファクス番号を取得できたと判定した場合、ＬＣＤ表示部３１に取得したファクス番号を表示するとともに、ファクスを送信するか否かの確認ボタンを表示する（ステップ１１０）。
図７はこの場合のＬＣＤ表示部３１の表示画面の一例であり、図に示すように、取得したファクス番号が表示されるとともに、上記と同様に、ファクスを送信するか否かを決定する「はい」ボタン６１と「いいえ」ボタン６２が表示される。
【００２６】
送信先端末装置のヘッダ情報未設定等により、ステップ１０９でファクス番号が取得できなかった場合、ＣＰＵ１１は、ＬＣＤ表示部３１にＩＤが取得できなかった旨、及びファクスを送信するか否かの確認ボタンを表示する（ステップ１１１）。
図８はこの場合のＬＣＤ表示部３１の表示画面の一例であり、図に示すように、「ＩＤが取得できません。」との表示がなされるとともに、上記と同様に、ファクスを送信するか否かを決定する「はい」ボタン６１と「いいえ」ボタン６２が表示される。
【００２７】
そして、ステップ１０８、ステップ１１０あるいはステップ１１１で送信確認画面を表示した後、ＣＰＵ１１は、「はい」ボタン６１が押下されたか否かを判定し（ステップ１１２）、ユーザが「はい」ボタン６１を押下すると、画像データの送信処理を行った（ステップ１１３）後、回線切断処理を行う（ステップ１１４）。
すなわち、図５に示すように、ＣＰＵ１１は、送信先端末装置に伝送機能等を指定するデジタル命令信号（ＤＣＳ）、トレーニング信号（ＴＣＦ）を送信し、トレーニング信号の受信状態が正常な場合に、送信先端末装置から受信準備確認信号（ＣＦＲ）を受信すると、画像データの送信を実行し、画像データの送信が終了すると、切断命令信号（ＤＣＮ）を送信した後、回線を切断して通信を終了する。
【００２８】
一方、ステップ１１２で「はい」ボタン６１が押下されていないと判定した場合、ＣＰＵ１１は、「いいえ」ボタン６２が押下されたか否かを判定し（ステップ１１５）、ユーザが「いいえ」ボタン６２を押下すると、回線切断処理を実行する（ステップ１１４）。
また、「いいえ」ボタンが押下されていないと判定した場合、ＣＰＵ１１は、タイマ（図示せず）により送信確認画面を表示してから所定時間が経過したか判断することにより、タイムオーバーか否かを判定する（ステップ１１６）。そして、タイムオーバーしていないと判定した場合、ＣＰＵ１１は、ステップ１１２に戻って再び、「はい」ボタンが押下されたか否かを判定し、タイムオーバーしたと判定した場合には、回線切断処理を実行する（ステップ１１４）。
【００２９】
以上のように、ファクス送信を行う場合、発信先の通信端末装置からカナＩＤや発信者番号等の発信端末識別信号を受信すると、その発信端末識別信号の内容がＬＣＤ表示部に表示され、発信端末識別信号が受信できなかった場合には、発信端末識別信号を受信しなかった旨が表示されるとともに、通信を継続するか否かの確認画面が表示されるので、送信先の通信端末装置を確認した上で画像データを送信でき、操作性及び信頼性を向上させることができるとともに、発信端末識別信号を受信できなかった場合でも、動作を停止することなく通信を継続することが可能となる。
【００３０】
なお、上記の実施例では、ＩＤとしてカナＩＤ、ファクス番号を検出してＬＣＤ表示部に表示したが、その他のＩＤ、例えば、漢字表示ＩＤ等を検出できる場合には、それらのＩＤを表示するようにすることも可能である。
【００３１】
また、上記の実施例では、本発明の通信端末装置をコピー機能、ファクシミリ機能、プリント機能等を有するデジタル複合機に適用した例を説明したが、本発明の通信端末装置はコピー機能等を持たないファクシミリ装置にも適用することが可能である。
【図面の簡単な説明】
【００３２】
【図１】本発明の通信端末装置を適用したデジタル複合機を備えたシステムのネットワーク構成例を示す図である。
【図２】デジタル複合機のハードウェア構成を示すブロック図である。
【図３】表示・操作部の詳細を示す図である。
【図４】ファクス送信を行う場合の作用を示すフローチャートである。
【図５】ファクス送信を行う場合の交信シーケンスを示す図である。
【図６】カナＩＤを取得した場合のＬＣＤ表示部の表示画面の一例を示す図である。
【図７】送信先端末装置のファクス番号を取得した場合のＬＣＤ表示部の表示画面の一例を示す図である。
【図８】発信端末識別信号を取得できなかった場合のＬＣＤ表示部の表示画面の一例を示す図である。
【符号の説明】
【００３３】
１  デジタル複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  ＩＤ情報記憶部
３１  ＬＣＤ表示部
【図１】
2007088981.tif 000003
【図２】
2007088981.tif 000004
【図３】
2007088981.tif 000005
【図４】
2007088981.tif 000006
【図５】
2007088981.tif 000007
【図６】
2007088981.tif 000008
【図７】
2007088981.tif 000009
【図８】
2007088981.tif 000010